(57)【要約】      （修正有）【課題】手間と時間をかけずに衛生的に継続して使用することができる抗菌仕様の付け爪を提供する。【解決手段】付け爪１の全表面に、細菌、ウィルス等の有害微生物を分解させる効果を有する光触媒を含有する光触媒体２をコーティングする。付け爪１にコーティングする光触媒体２は、光触媒の二酸化チタンと多孔質セラミック粉体とを複合させた触媒体を使用する。すなわち、多孔質セラミックの表面及び細孔が微粒の二酸化チタンによって被覆される構成とすることにより、高価な二酸化チタンの使用量を抑えることができ、また、粉体により触媒がゾル状となることによりコーティングが容易となる。さらに、表面及び細孔が微粒の二酸化チタンに被覆された多孔質セラミックが触媒体内に均等に拡散することによって光触媒の露出面積を大きくすることができるため、光触媒が効率的に殺菌等の機能を発揮することができる。【選択図】図１
0003200066.tif 000002
【実用新案登録請求の範囲】
【請求項１】
抗菌効果を有する着脱自在の付け爪であって、前記付け爪の表面に光触媒を含有する光触媒体をコーティングしたことを特徴とする付け爪。
【請求項２】
前記光触媒体は、二酸化チタンと多孔質セラミック粉体とを複合させた光触媒体であることを特徴とする請求項１記載の付け爪。
【考案の詳細な説明】
【技術分野】
【０００１】
本考案は、抗菌仕様の付け爪に関する。
【背景技術】
【０００２】
美容装飾の一環として、ネイルチップと呼ばれる合成樹脂製の付け爪が市販されている。付け爪は一般に両面テープ又は接着剤により自爪に着接させ、両面テープを使用するものについては繰り返し使用することができる。また、繰り返し使用できるネイルチップ用の接着剤も市販されている。
【０００３】
繰り返し使用する付け爪の手入れは、剥がした後に消毒用アルコール等により殺菌してから保管する必要があるが、迂遠なため布巾等で汚れを落とす程度であることが多い。
【先行技術文献】
【特許文献】
【０００４】
【特許文献１】特開２０１３−８１７４９号
【特許文献２】特開２０１１−１９０１９３号
【考案の概要】
【考案が解決しようとする課題】
【０００５】
上述したように、付け爪の使用及び保管については衛生面の配慮がなされていないことが多く、繰り返しの使用により菌類（カビ等）が生えたり病原菌・ウィルスが繁殖したりするといった問題がある。このため、従来の付け爪は、一般的に、長期利用が期待できない。
【０００６】
特許文献１には、ネイルシール等使用時に自爪にコーティングする用剤であって、抗菌材料が含有されている爪被覆剤が開示されている。また、特許文献２には、付け爪と自爪との間に発生する細菌・バクテリア・カビを防止するための抗菌剤であって、キューティクルオイルやジェル、アクリルリキッド等に配合可能な爪化粧料が開示されている。
【０００７】
しかしながら、これらの被覆材や化粧料によって抗菌効果を得るには、付け爪の使用時又は収納時にコーティングや消毒等、自爪の手入れをせねばならない。さらに、自爪の手入れに加え、付け爪の方の手入れは従来通り必要であることに変わりはなく、これらの用剤を使用しての衛生的な付け爪の管理には手間と時間を要する。
【０００８】
上述の問題に鑑み、本考案は、手間と時間をかけずに衛生的に継続して使用することができる抗菌仕様の付け爪を提供することを課題とする。
【課題を解決するための手段】
【０００９】
上記課題を解決するために、請求項１の付け爪は、抗菌効果を有する着脱自在の付け爪であって、付け爪の全表面に、細菌、ウィルス等の有害微生物を分解させる効果を有する光触媒を含有する光触媒体をコーティングしたことを特徴とする。
【００１０】
しかし、二酸化チタン等の光触媒は、（１）高価である、（２）光触媒体がゾル状であるためコーティングが困難である、（３）焼付け等によりコーティングしても二酸化チタン等の光触媒の粒子が大きく露出面積の割合が低いため、殺菌等の機能を効率的に発揮できない、等の問題があった。
【００１１】
上述の問題を解決すべく、請求項２の付け爪にコーティングする光触媒体として、微粒の二酸化チタンと多孔質セラミック粉体とを複合させた触媒体を使用することを特徴とする。すなわち、触媒体内に粉体として浮遊する前記多孔質セラミックの表面及び多数の細孔が微粒の二酸化チタンによって被覆される構成とすることにより、高価な二酸化チタンの使用量を抑えることができ、また、前記粉体により触媒がゾル状となることによりコーティングが容易となり、さらに、前記多孔質セラミックの構造によって光触媒の露出面積を大きくすることができるため、効率的に光触媒の殺菌等の機能を発揮することを可能とした。
【考案の効果】
【００１２】
本考案により、除菌等の手入れが必要なくなり、常時、清潔な付け爪の維持・使用が可能となる。
【００１３】
二酸化チタンと多孔質セラミック粉体とを複合させた光触媒体を使用することにより、光触媒の高コスト性、コーティングの困難性が解消され、効率的に殺菌等の機能を発揮することが可能となる。
【図面の簡単な説明】
【００１４】
【図１】光触媒の殺菌等の効果を説明するための模式図である。
【図２】（Ａ）光触媒体をコーティングした付け爪の平面図である。（Ｂ）Ａ−Ａ´線断面図である。
【考案を実施するための形態】
【００１５】
本考案の実施形態について図を用いて説明する。本実施形態に係る付け爪は、請求項２に記載の付け爪である。
【００１６】
本考案に係る付け爪は、抗菌効果を得るために光触媒として二酸化チタンを含有する光触媒体を付け爪表面にコーティングしたものであるが、まず、本考案の前提となる光触媒の抗菌作用について説明する。図１は光触媒体２を塗布した基材１に光源Ａ、Ｂ又はＣからの光が当たったときに生じる現象を示す模式図である。光触媒体２は通常、二酸化チタンがゾル状に集合したものであるが、この二酸化チタンに光が照射されると二酸化チタンから活性酸素３、すなわち分子の形態に至らない原子状の酸素が放出される。活性酸素３は強い酸化力を有し、有機物の表面を酸化・分解する性質を有する。このため、基材１及びコーティングされた光触媒体上の細菌８、ウィルス９、カビなどの菌類１０は、表皮が酸化され死滅する。
【００１７】
本考案に係る付け爪は上記光触媒の性質を利用したものである。光触媒体２は前述したようにゲル状であるため、コーティングには通常、焼付け等の手段が必要となるが、本実施形態の光触媒体２は、二酸化チタンと多孔質セラミック粉体とを複合させたゾル状の触媒を使用するため、焼付けの温度をそれほど高めず、比較的容易にコーティングすることができる。
【００１８】
また、本実施形態に係る光触媒体は、微粒の二酸化チタンが粉状の多孔質セラミックの表面及び細孔に被覆した構造を有するため、高価な二酸化チタンの使用量を抑えることができ、さらに、二酸化チタンを多孔質セラミックとともに触媒内に均等に配置して光触媒の露出面積を大きくすることができるため、光触媒の殺菌等の機能を効果的に発揮することができる。
【００１９】
図２は、本実施形態に係る付け爪の平面図（Ａ）及び断面図（Ｂ）である。図に示すように、本付け爪は、基材の表面全体に上記構造を有する光触媒体２をコーティングしたものである。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、光触媒については二酸化チタン以外のものを使用することも可能であるし、光触媒体２は、請求項１、２ともに、本実施形態に記載のない他の物質を加えた触媒体とすることが可能であり、それらについての本実施形態と異なる形態による実施は、本考案の技術的範囲に含まれるものと解する。
【符号の説明】
【００２１】
１    付け爪（基材）
２    光触媒体
３    活性酸素(原子状酸素)
４    光源Ａ
５    光源Ｂ
６    光源Ｃ
７    光
８    細菌
９    ウィルス
１０  菌類
【図１】
0003200066.tif 000003
【図２】
0003200066.tif 000004